(57)【要約】【課題】ＡＤＦに置いた１セットの複数枚数原稿を、統一した下地飛ばし量で調整できる仕組みを、ＭＦＰの機能としてＵＩも含めた形で提供することを目的とする。【解決手段】画像データを入力する画像入力手段と、上記画像データから、画像データの所定の信号値レベルを検出する信号値レベル検出手段と、上記信号値レベル検出手段の信号値レベルの検出方法の種類を選択する検出選択手段と、上記検出選択手段に応じて上記信号値レベル検出手段での検出方法を可変させ、それに応じて検出された信号値レベルから所定の画像処理を施すための画像処理係数を生成する画像処理係数生成手段と、上記画像処理係数生成手段で生成された画像処理係数に従って、上記画像データに対して所定の画像処理を施す画像処理手段とを備えることを特徴とする画像処理装置。【選択図】        図１
2006295348.tif 000002
【特許請求の範囲】
【請求項１】
画像データを入力する画像入力手段と、
上記画像データから、画像データの所定の信号値レベルを検出する信号値レベル検出手段と、
上記信号値レベル検出手段の信号値レベルの検出方法の種類を選択する検出選択手段と、
上記検出選択手段に応じて上記信号値レベル検出手段での検出方法を可変させ、それに応じて検出された信号値レベルから所定の画像処理を施すための画像処理係数を生成する画像処理係数生成手段と、
上記画像処理係数生成手段で生成された画像処理係数に従って、上記画像データに対して所定の画像処理を施す画像処理手段とを備えることを特徴とする画像処理装置。
【請求項２】
請求項１記載の画像処理装置において、上記画像データを入力する上記画像入力手段は、原稿をスキャン走査して画像データを得ることができる画像入出力装置もしくは各種記憶媒体およびネットワークを経由して画像データを入力することが可能な画像入力措置、またはクライアントＰＣなどからのＰＤＬ言語で記述される画像データを入力しレンダリングすることで画像を入力することが可能な画像入力装置であることを特徴とする画像処理装置。
【請求項３】
請求項１記載の画像処理装置において、上記画像データから、画像データの所定の信号値レベルを検出する上記信号値レベル検出手段は、上記画像データから画像データ中の地色を示す下地の信号値レベルを検出する下地検出手段であることを特徴とする画像処理装置。
【請求項４】
請求項１記載の画像処理装置において、上記検出選択手段に応じて上記信号値レベル検出手段での検出方法を可変させ、それに応じて検出された信号値レベルから所定の画像処理を施すための画像処理係数を生成する画像処理係数生成手段は、上記信号値レベル検出手段によって検出された下地の信号値レベルに基づいて、その画像データの地色の画像信号値を、白地を表す画像信号に変換するための画像処理係数を生成することを特徴とする画像処理装置。
【請求項５】
請求項１記載の画像処理装置において、上記画像処理係数生成手段で生成された画像処理係数に従って、上記画像データに対して所定の画像処理を施す画像処理手段は、後期画像データの地色を、白地を表す画像信号値に変換する機能を有することを特徴とする画像処理装置。
【請求項６】
請求項１記載の画像処理装置において、上記信号値レベル検出手段の信号値レベルの検出方法の種類を選択する検出選択手段で選択しうる検出方法の種類は、上記画像入力手段でによって入力される上記画像データに対して、
入力された全ページ毎に上記信号値レベル検出手段によって所定の信号値レベルを検出し、ページ毎に上記画像処理係数生成手段によって画像処理係数を生成し、そのページ毎の画像処理係数を用いて、上記画像処理手段によって所定の画像処理を施すことを特徴とする画像処理装置。
【請求項７】
請求項１記載の画像処理装置において、上記信号値レベル検出手段の信号値レベルの検出方法の種類を選択する検出選択手段で選択しうる検出方法の種類は、上記画像入力手段でによって入力される上記画像データに対して、
所定の信号値レベルを入力する入力値レベル入力手段を持ち、入力された全ページ毎に上記信号値レベル検出手段によって所定の信号値レベルを検出するしないに関わらず、上記入力手段によって入力された信号値レベル値に従って、上記画像処理係数生成手段によって画像処理係数を生成し、その画像処理係数を用いて、上記画像処理手段によって所定の画像処理を施すことを特徴とする画像処理装置。
【請求項８】
請求項１記載の画像処理装置において、上記信号値レベル検出手段の信号値レベルの検出方法の種類を選択する検出選択手段で選択しうる検出方法の種類は、上記画像入力手段でによって入力される上記画像データに対して、
入力された最初のページの所定の信号値レベルを上記信号値レベル検出手段によって検出し、その後ページ毎に上記信号値レベル検出手段によって所定の信号値レベルを検出するしないに関わらず、上記最初のページの信号値レベル値に従って、上記画像処理係数生成手段によって画像処理係数を生成し、その画像処理係数を用いて、上記画像処理手段によって所定の画像処理を施すことを特徴とする画像処理装置。
【請求項９】
請求項１記載の画像処理装置において、上記信号値レベル検出手段の信号値レベルの検出方法の種類を選択する検出選択手段で選択しうる検出方法の種類は、上記画像入力手段でによって入力される上記画像データに対して、
所定のページを指定するページ指定入力手段を持ち、入力されたページの所定の信号値レベルを上記信号値レベル検出手段によって検出し、その他のページに対して上記信号値レベル検出手段によって所定の信号値レベルを検出するしないに関わらず、上記指定されたページの信号値レベルに従って、上記画像処理係数生成手段によって画像処理係数を生成し、その画像処理係数を用いて、上記画像処理手段によって所定の画像処理を施すことを特徴とする画像処理装置。
【請求項１０】
請求項１記載の画像処理装置において、上記信号値レベル検出手段の信号値レベルの検出方法の種類を選択する検出選択手段で選択しうる検出方法の種類は、上記画像入力手段でによって入力される上記画像データに対して、
複数毎の画像データを縮小し、１枚にレイアウトする縮小レイアウト時において、１枚の中にレイアウトされる画像データの中から所定のページを指定するページ指定入力手段を持ち、入力されたページの所定の信号値レベルを上記信号値レベル検出手段によって検出し、その他のページに対して上記信号値レベル検出手段によって所定の信号値レベルを検出するしないに関わらず、上記指定されたページの信号値レベルに従って、レイアウトされる１枚ごとに上記画像処理係数生成手段によって画像処理係数を生成し、その画像処理係数を用いて、上記画像処理手段によって所定の画像処理を施すことを特徴とする画像処理装置。
【請求項１１】
請求項１記載の画像処理装置において、上記信号値レベル検出手段の信号値レベルの検出方法の種類を選択する検出選択手段で選択しうる検出方法の種類は、上記画像入力手段でによって入力される上記画像データに対して、
複数毎の画像データを製本する結合製本時において、左右にレイアウトされる画像データの中から所定のページを指定するページ指定入力手段を持ち、入力されたページの所定の信号値レベルを上記信号値レベル検出手段によって検出し、その他のページに対して上記信号値レベル検出手段によって所定の信号値レベルを検出するしないに関わらず、上記指定されたページの信号値レベルに従って、レイアウトされるページごとに上記画像処理係数生成手段によって画像処理係数を生成し、その画像処理係数を用いて、上記画像処理手段によって所定の画像処理を施すことを特徴とする画像処理装置。
【請求項１２】
請求項１記載の画像処理装置において、コピー入力や、インターネット送信入力、記憶保存入力、ファックス送信入力などの機能毎に設定可能なことを特徴とする画像処理装置。
【請求項１３】
請求項１記載の画像処理装置において、コピー出力や、記憶保存出力、インターネット受信出力、ファックス受信出力、ＰＤＬ出力などの機能毎に設定可能なことを特徴とする画像処理装置。
【請求項１４】
請求項１記載の画像処理装置において、上記信号値レベル検出手段で検出した結果、上記検出選択手段による選択結果、その選択により可変する上記画像処理手段を施された後の結果のうち、少なくとも１つ以上を表示することができる表示手段を持つことを特徴とする画像処理装置。
【請求項１５】
請求項６記載の画像処理装置において、所定の信号値レベルを検出した後、その値に基づき上記画像処理係数生成手段において画像処理係数を生成する際に、入力された画像データの信号値レベルを検出した後、すべての信号値レベルの平均もしくは重み付け演算を行なうことによって信号値レベルを決定することも可能な構成であることを特徴とする画像処理装置。
【請求項１６】
請求項１記載の画像処理装置において、入力データから所定の信号値レベルを検出しているが、予め基準データを入力することで、その値を基に上記画像処理手段において処理を施すことも可能な構成であることを特徴とする画像処理装置。
【請求項１７】
請求項１記載の画像処理装置において、各種ネットワーク機能を利用して、外部のクライアントＰＣやリモートＷＥＢサービスなどの手段を利用して、所定の信号値レベルを設定したり、外部デバイスからのリモート動作を行なえる、さらには、外部メディアや外部記憶装置などから、各種情報を入力して実行させる構成も可能なことを特徴とする画像処理装置。
【発明の詳細な説明】
【技術分野】
【０００１】
本発明は、画像データに対して所定の画像処理を施す画像処理システムに関するものであり、詳細には画像入力装置、画像出力装置を持つ、カラー複合機の画像処理に関するものである。
【背景技術】
【０００２】
従来のカラー複合機（以下、ＭＦＰ）においては、スキャナーで読み取った画像データをプリンタで出力するＣＯＰＹ機能、スキャナーもしくはＰＣなどから送られる入力画像データを機器内の記憶装置内に記憶保存するＢＯＸ機能、スキャナーもしくはＰＣなどから送られる入力画像データを他のＭＦＰやＰＣ、ＦＡＸ機器へネットワーク網もしくは公衆回線網を使用して送るＳＥＮＤ／ＦＡＸ機能、ＢＯＸ機能で記憶保存された画像データもしくはＰＣなどから送られてくる画像データの他ＳＥＮＤ／ＦＡＸ機能で受信される画像データを用紙に出力するＰＲＩＮＴ機能を備える。
【０００３】
上記のいずれかの方法で入力された画像データを、外部機器へ転送もしくは用紙にプリントする場合には、以下のように処理される。例えば入力画像データが印刷物原稿をスキャナーで読み取って得られた画像データとすると、入力画像データは、所定の入力画像処理を施す。その後、原稿中の余計な地色を飛ばす下地飛ばし処理を施すことで、例えば、紙の白色度の低い、茶色っぽい地の用紙などを原稿にしてコピーを行った際には、不必要であろう茶色っぽい地色を飛ばして白色に変換する。これによって、コピー出力時には茶色っぽい地のない出力を得ることができる。
【０００４】
ＳＥＮＤ／ＦＡＸ機能を使用して送信する際には、これにより、地色が飛んだ画像データを異なるＭＦＰやクライアントＰＣなどへ提供することができる。
【０００５】
ＰＲＩＮＴ機能やＳＥＮＤ／ＦＡＸ機能を使用して受信してプリントする際には、ＭＦＰで受け取った画像データに対して、上述した下地飛ばし処理を施すことで同様にして地色を除去してプリントすることができる。
【０００６】
上記下地飛ばし処理は、画像中に含まれる画素ごとの色値をサンプリングして、そのサンプリング結果より、地色と思われる領域を判定し、それより白い信号の画素はすべて白色（０〜２５５のＲＧＢ値で言うと、２５５）に変換することで、地色を自動的に飛ばすことができる（例えば、特許文献１参照）。
【０００７】
それなので、例えばスキャナー読み取り時にオート・ドキュメント・フィーダー（以下、ＡＤＦ）のように連続枚数の原稿を入力画像データとしてＭＦＰに入力した場合においても、各々の原稿（入力画像データ）ごとに下地飛ばしの量を指定することなく、自動的にその原稿毎に下地飛ばし量を可変させて下地飛ばしを行い、ＢＯＸ機能の場合には記憶保存し、ＣＯＰＹ機能の場合にはコピープリントを行う。
【特許文献１】特開２０００−２２９７１号公報
【発明の開示】
【発明が解決しようとする課題】
【０００８】
しかしながら、上記に説明したような従来例では、複数原稿（入力画像データ）のページの内容によっては、同じ地色の用紙をしている原稿であったとしても、そのページに含まれる絵柄や、地色領域の大きさによっては、地色レベルの検出結果が異なる場合があり、その結果、ページ毎に異なる下地飛ばし量で下地飛ばし処理が行なわれてしまう。そのため、ページ毎にマチマチな調整を行ってしまい、同じ用紙を使用していても、例えばＡＤＦを使用して複数枚数の１セットの原稿の中で、ページ毎に下地が飛び過ぎたり、飛ばなかったり異なる調整結果になってしまっていた。
【０００９】
そこで本発明は、１セットの複数枚数原稿（入力画像データ）に対して、統一した下地飛ばし量で調整できる仕組みを、ＭＦＰの機能としてＵＩも含めた形で提供することを目的とする。
【課題を解決するための手段】
【００１０】
本発明では、複数枚数の入力画像データ群に対してする下地飛ばし量の検出および調整として、以下を備える。
【００１１】
１．全ページ毎に下地飛ばし量を検出し、ページ毎に下地レベル調整を行う仕組み。
→ページを読み込む度に下地レベルを検出し、調整量を可変させて調整を行う。
【００１２】
２．初めから決められているＤｅｆａｕｌｔの下地飛ばし量を全てのページに適用する仕組み。
→ページ毎の下地レベルに関係なく、Ｄｅｆａｕｌｔの調整量で一律に調整を行う。
【００１３】
３．複数枚数原稿のうち、１枚目にスキャンした原稿で検出した下地飛ばし量、調整量を全ページ適用する仕組み。
→ページ毎の下地レベルに関係なく、１ページ目の調整量で一律に調整を行う。
【００１４】
４．複数枚数原稿のうち、任意指定するページで検出した下地飛ばし量、調整量を全ページ適用する仕組み。
→ページ毎の下地レベルに関係なく、任意指定したページの調整量で一律に調整を行う。
【００１５】
５．縮小レイアウト２ｉｎ１、４ｉｎ１、８ｉｎ１で１枚で印刷される２，４，８ページの調整量を同じにして適用する仕組み。
→ページ毎の下地レベルに関係なく、Ｎｉｎ１の先頭ページ、もしくは任意のページの調整量でＮｉｎ１毎に一律に調整を行う。
【００１６】
６．結合製本で見開き同士に並ぶページの調整量を同じにして適用する仕組み。
→ページ毎の下地レベルに関係なく、見開きの先頭のページ、もしくは任意のページの調整量で見開き毎に一律に調整を行う。
【００１７】
７．上記１、２、３、４、５、６の仕組みのうちから、ユーザが任意に選択することが可能なＵＩを持つ。
【００１８】
８．上記１、２、３、４、５、６の仕組みを、Ｃｏｐｙ−Ｓｃａｎ時／Ｂｏｘ−Ｓｃａｎ時／Ｓｅｎｄ−Ｓｃａｎ時／Ｆａｘ−Ｓｃａｎ時などの各々の機能のＳｃａｎ機能毎に設定可能なＵＩを持つ。
【００１９】
９．上記１、２、３、４、５、６の仕組みを、Ｃｏｐｙ−Ｐｒｉｎｔ時／Ｂｏｘ−Ｐｒｉｎｔ時／Ｓｅｎｄ−受信Ｐｒｉｎｔ時／Ｆａｘ−受信Ｐｒｉｎｔ時／ＰＤＬ−Ｐｒｉｎｔ時などの各々の機能のＰｒｉｎｔ機能毎に設定可能なＵＩを持つ。
【００２０】
１０．上記１、２、３、４、５、６を指定の過程・結果をプレビューし、選択・指定結果表示させるビューワを持つ。
【００２１】
上記の構成により、複数枚の画像の入力時において、ユーザの出力形態に応じて、原稿に対する下地飛ばし量を最適に調整することが可能になる。
【００２２】
なお、さらに詳細に説明すれば、本発明は下記の構成によって前記課題を解決できた。
【００２３】
画像データを入力する画像入力手段と、上記画像データから、画像データの所定の信号値レベルを検出する信号値レベル検出手段と、上記信号値レベル検出手段の信号値レベルの検出方法の種類を選択する検出選択手段と、上記検出選択手段に応じて上記信号値レベル検出手段での検出方法を可変させ、それに応じて検出された信号値レベルから所定の画像処理を施すための画像処理係数を生成する画像処理係数生成手段と、上記画像処理係数生成手段で生成された画像処理係数に従って、上記画像データに対して所定の画像処理を施す画像処理手段とを備えることを特徴とする画像処理装置。
【発明の効果】
【００２４】
本発明においては、複数原稿（入力画像データ）のページの内容によっては、同じ地色の用紙をしている原稿であったとしても、そのページに含まれる絵柄や、地色領域の大きさによっては、地色レベルの検出結果が異なる場合があり、その結果、ページ毎に異なる下地飛ばし量で下地飛ばし処理が行なわれてしまうため、ページ毎にマチマチな調整を行ってしまい、同じ用紙を使用していても、例えばＡＤＦを使用して複数枚数の１セットの原稿の中で、ページ毎に下地が飛び過ぎたり、飛ばなかったり異なる調整結果になってしまっている問題を、１セットの複数枚数原稿（入力画像データ）に対して、統一した下地飛ばし量で調整できる仕組みを、ＭＦＰの機能としてＵＩも含めた形で提供することで回避することが可能になる。
【発明を実施するための最良の形態】
【００２５】
以下本発明を実施するための最良の形態を、実施例により詳しく説明する。
【実施例】
【００２６】
［第一の実施例］
以下本発明の一実施例を図面を用いて説明する。
【００２７】
＜ＭＦＰ１００のシステム構成＞
図１は本発明のＭＦＰ１００のシステム構成を示すブロック図である。
【００２８】
同図において、１１０は原稿画像をスキャンして入力画像データを得るスキャナなどの画像入力装置であり、１２０は入力画像データを処理して得られる出力画像データをプリントするプリンタなどの画像出力装置である。
【００２９】
１０１はユーザ入力装置としてのローカル・ユーザー・インタフェース（以下ＵＩ）であり、これによりＭＦＰ１００に対する動作指示を行う。ＵＩ１０１には、指示の内容や、ＭＦＰ１００の動作状況、各種画像のプレビューなどを行うことが可能な液晶などの表示装置も含む。
【００３０】
ＵＩ１０１からの入力はインターフェースマネージャ１０２を介してマイクロプロセッサ１０３へ送られる。なお、インターフェースマネージャ１０２には、ＵＩ１０１の他、キーボード１０４やマウス１０５などの外部操作手段を接続することも可能である。マイクロプロセッサ１０３は、ここの説明では一つの構成を示しているが、ＭＦＰ１００のコスト、処理能力、パフォーマンスの能力に応じて、二つでも三つでも良い。この少なくとも１つのマイクロプロセッサ１０３と、マイクロプロセッサ１０３によりアクセス可能なメモリである、フラッシュ・メモリ１０６およびＲＡＭ１０７が接続されており、これらのメモリを使用しつつ、画像データの処理をマイクロプロセッサ１０３にて行う。
【００３１】
マイクロプロセッサ１０３により生成されるデータは、ＵＩ１０１の表示装置でプレビューするコトも可能であるが、ＭＦＰ１００に外部表示装置としてディスプレ１３０などを接続し、それに出力し表示させることも可能である。
【００３２】
ディスク・インターフェース装置１４０を介してマイクロプロセッサ１０３により読出し／書込みアクセス可能である磁気ディスク・ドライブ（ＨＤＤ）１４１に処理データなどを記憶保存させるコトも可能である。フロッピー(登録商標)・ディスク・ドライブ（ＦＤＤ）１４２、ＣＤ−ＲＯＭドライブ１４３などの各種メディアとの読み出し／書込みアクセスも可能である。
【００３３】
更に、各種ディスク・ドライブからマイクロプロセッサ１０３へのデータ・アクセスを高速化するためキャッシュ１４４、ＰＣＭＣＩＡ１４５のスロットにより各種ＰＣカードなどの接続も可能である。
【００３４】
またインターネット網に接続することが可能になるネットワークインターフェース１５０、無線ＬＡＮ１５１、赤外線通信１５２、公衆回線網に接続可能なモデム１５３、短距離通信（Ｂｌｕｅｔｏｏｔｈ）１５４などを持つ。
【００３５】
＜ＭＦＰ１００の側断面図＞
図２は本発明の第一の実施例のＭＦＰ１００、ここではカラー機の構成を示す側断面図である。
【００３６】
ＭＦＰ１００は、原稿画像を読み取る画像入力装置１１０（イメージリーダ部）と、画像入力装置１１０で読み取った画像データに各種画像処理を施した後に出力を行なう画像出力装置１２０（プリンタ部）とに大きく分けられる。画像入力装置１１０に相当するのが後述する２０１から２１２、画像出力装置１２０に相当するのが後述する２１３以降になる。また、ここでの画像入力装置１１０ではＡＤＦを載せていない構成を示しているが、ＡＤＦに関する詳細は図３にて説明する。
【００３７】
画像入力装置１１０は、ここでは６００ｄｐｉ（ｄｏｔｓ／ｉｎｃｈ）の解像度で原稿を読み取る。その後、デジタル信号処理を行った後、画像出力装置１２０において予め指定されている所定の用紙にフルカラープリント出力する構成を示している。
【００３８】
原稿台ガラス２０１上に置かれた原稿２０２は照明２０３により光を照射される。原稿２０２からの反射光は、ミラー２０４、２０５、２０６を経て、光学系２０７によりＣＣＤセンサ２０８上に結像する。さらに、モータ２０９により、ミラー２０４と照明２０３を含む第一のミラーユニット２１０は、速度Ｖで機械的に駆動され、ミラー２０５、２０６を含む第二のミラーユニット２１１は、速度１／２Ｖで駆動されて、原稿２０２の全面が走査される。
【００３９】
画像処理部２１２は、先に図１で示したマイクロプロセッサなどからなるシステムであり、ＣＣＤセンサ２０８から出力された画像情報を電気信号として処理して、メモリ上に一旦保持した後にプリント信号として出力する。画像処理部２１２より出力されたプリント信号は、不図示のレーザドライバに送られ、不図示の四つの半導体レーザ素子を駆動する。四つの半導体レーザ素子で発光されたレーザ光の一つは、ポリゴンミラー２１３によって走査され、ミラー２１４、２１５、２１６を経て感光ドラム２１７上に潜像を形成する。他のレーザ光もそれぞれ、ポリゴンミラー２１３によって走査され、ミラー２１８、２１９，２２０を経て感光ドラム２２１上に潜像を形成し、ミラー２２２，２２３，２２４を経て感光ドラム２２５上に潜像を形成し、ミラー２２６、２２７、２２８を経て感光ドラム２２９上に潜像を形成する。
【００４０】
このようにして、各感光ドラム上に形成された潜像はそれぞれ、イエロー（Ｙ）のトナーを供給する現像器２３０、マゼンタ（Ｍ）のトナーを供給する現像器２３１、シアン（Ｃ）のトナーを供給する現像器２３２、ブラック（Ｋ）のトナーを供給する現像器２３３によって現像される。現像された四色のトナー像は、記録紙に転写され、フルカラーの出力画像を得ることができる。
【００４１】
記録紙カセット２３４，２３５または手差しトレイ２３６の何れかから供給された記録紙は、レジストローラ２３７を経て、転写ベルト２３８に吸着され搬送される。感光ドラム２１７、２２１、２２５、２２９上には、給紙タイミングと同期がとられて、予め各色のトナー像が現像されていて、記録紙の搬送とともにトナー像が記録紙へ転写される。四色のトナー像が転写された記録紙は、搬送ベルト２３８から分離され、搬送ベルト２３９により搬送され、定着器２４０によりトナーが定着され、排紙トレイ２４１へ排出される。
【００４２】
なお、四つの感光ドラムは、距離ｄをおいて等間隔に配置され、搬送ベルト２３８により、記録紙は一定速度Ｖで搬送されるので、これにタイミング同期をとって四つの半導体レーザ素子は駆動される。
【００４３】
＜ＡＤＦ（自動原稿送り装置）の断面図＞
図３は本発明の第一の実施例のＡＤＦに関する断面図である。
【００４４】
ＡＤＦは、ＭＦＰ１００の画像入力装置１１０上に設置され原稿台ガラス２０１上の原稿を読み取り終わると、次の原稿を原稿台ガラス２０１上にセットすると共に、読み取り済原稿を原稿台ガラス２０１上から移動し、排紙部まで来たところで排紙駆動系により、排紙を行うよう構成され、複数枚の原稿を連続して読み取る、いわゆる“流し読み”を行うことができる。
【００４５】
図３において、ＡＤＦ３００には、原稿束３０１をセットする原稿積載台３０２が装備されている。１１０はＭＦＰ１００の画像入力装置としてのイメージリーダ部１１０を示し、２０１、２０３も、各々ＭＦＰ１００のイメージリーダ部１１０内の原稿台ガラス２０１、照明２０３を示している。
【００４６】
また、原稿積載台３０２には、給送手段の一部と原稿搬送長手方向に原稿検知センサ３０３、第１原稿サイズ検知センサ３０４、第２原稿サイズ検知センサ３０５、第３原稿サイズ検知センサ３０６が配設されている。
【００４７】
この給送手段は、搬送ローラ３０７、分離ローラ３０８、不図示の分離・搬送モータ、レジストローラ３０９、排紙ローラ３１０、レジストセンサ３１１、排紙センサ３１２、シャッタ３１３、ウエイト３１４から構成されている。ここで、不図示のシャッタソレノイドを引くことにより、シャッタ３１３を引上げてウエイト３１４を下ろす。そして、搬送ローラ３０７と分離ローラ３０８とを不図示の前記分離・搬送モータを正転して、原稿載置台３０２上の原稿束３０１の最下部から原稿を１枚ずつ分離する。
【００４８】
また、レジストローラ３０９と排紙ローラ３１０とは、前記分離・搬送モータを逆転することにより、シートパスａに有る原稿を、シートパスｂを通り露光・読み取り位置を原稿搬送しながら読み取りを行い、シートパスｃに搬送され、排紙ローラ３１０により原稿を排紙トレイ３１５上に排出される。３１６はシート検知センサであり、排紙トレイ３１５上の用紙のあり、なしを検知する。
【００４９】
＜ＡＤＦの動作シーケンス＞
図４は本発明の第一の実施例の自動原稿送り装置ＡＤＦの動作シーケンスを示すフローチャートである。
【００５０】
ＡＤＦ３００は、ＭＦＰ１００から原稿束３０１の１枚目の原稿に送られる原稿搬送開始信号を受信すると、ステップＳ４０１で原稿の搬送を開始出来る状態にあるのか判別し、原稿搬送開始状態でなければ、原稿搬送を行わずにステップＳ４１５まで飛んで動作終了する。
【００５１】
一方、ステップＳ４０１において原稿搬送開始状態であれば、図３におけるシャッタ３１３を上げ、ウエイト３１４を下ろし、分離・搬送モータを正転させ（ステップＳ４０２）、搬送ローラ３０７と分離３０８とを駆動し、原稿束３０１の分離動作を開始する。この時、レジストローラ３０９と排紙ローラ３１０とは駆動されていない。それから、レジストセンサ３１１からの信号により、分離済原稿の先端をレジストセンサ３１１が検知したか否かを判断し（ステップＳ４０３）、検知したと判断したら、斜行を取り除くために原稿がレジストローラ３０９に突き当てられてモータ停止するようにタイマをスタートする（ステップＳ４０４）。このタイマ作動が終了すると（ステップＳ４０５）、分離・搬送モータを停止し（ステップＳ４０６）、分離動作が終了する。
【００５２】
次に、分離・搬送モータの回転方向を逆転して、搬送ローラ３０７と分離ローラ３０８との駆動を切放し、レジストローラ３０９と排紙ローラ３１０とを駆動し、レジストローラ３０９に突き当てられた状態の原稿を搬送開始する（ステップＳ４０７）。その原稿は、本体の光学系固定位置上を搬送されながら読み取り動作が行われ、レジストセンサ３１１からの信号により、原稿後端をレジストセンサ３１１が検知したか否かを判断し（ステップＳ４０８）、検知したと判断したら、原稿後端が読み取り位置を通過したところでモータを停止するようタイマをスタートする（ステップＳ４０９）。タイマが終了すると（ステップＳ４１０）、分離・搬送モータを停止し（ステップＳ４１１）、読み取り動作が終了する。
【００５３】
ここで、原稿検知センサ３０３からの信号により、次の原稿が有るか否かを判断する（ステップＳ４１２）。次の原稿が有ると判断したら、ステップＳ４０２に戻り、次の読み取り原稿を上記同様のステップでステップＳ４０６まで行うと、次の原稿の分離動作が終了する。この間、レジストローラ３０９と排紙ローラ３１０とは駆動されていないため、読み取り済原稿は、読み取り位置に後端がある状態で保持されている。
【００５４】
次に、ステップＳ４０７に進み、ステップＳ４１１まで行うと、分離・搬送モータが逆転し、レジストローラ３０９と排紙ローラ３１０とを駆動して、次の原稿の読み取り動作を行うと同時に、読み取り済原稿を排紙トレイ３１５上に排出する。ステップＳ４１２において、原稿検知センサ３０３が次の原稿が無いと判断した場合、読み取り済の原稿が原稿束３０１の最終紙であると判断するため、次の原稿の分離動作を行わずにステップＳ４１３に進み、分離・搬送モータを逆転し、排紙ローラ３１０を駆動して最終紙の排紙動作を開始する。
【００５５】
動作開始時には、構成上、原稿は、排紙ローラ３１０にニップされていることから排紙ローラ３１０付近に配置された排紙センサ３１２は原稿を検知しているので、ステップＳ４１４で排紙センサ３１２が原稿後端の検知を行い、後端を検知したならば、原稿後端が排紙ローラ３１０を抜ける分をモータ駆動した後、分離・搬送モータを停止する（ステップＳ４１５）。
【００５６】
＜下地飛ばし処理のアルゴリズム＞
図５は、下地飛ばし処理のアルゴリズムを説明するフローチャートである。
【００５７】
同図において、スキャン（Ｓ５０１）されて得る入力画像データを、入力画像データのチャネル毎に各信号レベルの出現頻度を表すヒストグラムを作成（Ｓ５０２）する。その後、予め定義された地色となり得る信号値レベルの範囲内で出現頻度の高い信号レベルを探す（Ｓ５０３）する。ここで説明する判定方法では、ヒストグラムの極大点に注目し、各極大点の値と位置関係、極大点を中心としたヒストグラムの形状すなわち分散の程度を考慮の上、地色の信号レベルに最も相応しい信号値レベルを決定（Ｓ５０４）する。このとき決定された地色信号レベル付近のヒストグラムの形状（Ｓ５０５）が、分散の少ない形状の場合にはＳ５０４で決定された信号値レベルをそのまま地色の信号値レベルとして決定するが、分散が大きい場合には、より確実に地色除去を行えるようにオフセットを設け、数レベル濃い信号値を最終的な地色信号レベルと決定する場合（Ｓ５０６）もある。ここで決定された地色信号レベル（Ｓ５０７）から地色除去のために既定された演算式に用いる係数を算出（Ｓ５０８）し、演算式によって元の画像信号から地色除去した画像信号を生成（Ｓ５０９）する。これら一連の処理は、スキャン画像をメモリなどの記憶装置に保存した後、ヒストグラムを作成し、画像データに対して地色除去を行う構成でも良いし、スキャン画像をメモリに保存する前にヒストグラムを作成し、その後、リアルタイムで地色除去を行なう構成でも良い。
【００５８】
＜「課題を解決するための手段」で示した１番に関する説明＞
図６は、全ページ毎に下地飛ばし量を検出し、ページ毎に下地レベル調整を行なう仕組みの説明であり、詳細にはページを読み込む度に下地レベルを検出し、調整量を可変させて調整を行うフローを説明するフローチャートである。
【００５９】
同図において、後述するＵＩ上において、ここで説明する処理内容を実行するモードを選択（Ｓ６０１）する。その後ＵＩ上にてスキャン開始ボタンを押下して、ＡＤＦ３００上に置かれた複数枚数の原稿束を画像入力装置１１０よりスキャンを開始（Ｓ６０２）する。スキャンにより得られる入力画像データは、読み取りの１ページ毎に所定の入力画像処理が施され（Ｓ６０３）た後、図５で説明したＳ５０７の地色信号レベルが決定（Ｓ６０４）される。そして、画像データは１ページ毎にメモリに記憶（Ｓ６０５）される。
【００６０】
上記Ｓ６０２〜Ｓ６０５のステップをＡＤＦ上に置かれた複数枚数の原稿束の全て対して処理するまで繰り返し行う（Ｓ６０６）。
【００６１】
全ての読み取りが終了したら、Ｓ６０４において決定された地色レベルに応じて、Ｓ５０９の所定の下地飛ばし処理が施され（Ｓ６０７）、地色を除去した画像データが生成される。
【００６２】
このようにページを読み込み度に地色の信号値レベルを検出し、その下地飛ばし量を可変させて下地飛ばし処理をページ毎に異なる演算係数で施す。
【００６３】
＜「課題を解決するための手段」で示した２番に関する説明＞
図７は、初めから決められているＤｅｆａｕｌｔの下地飛ばし量を全てのページに適用する仕組みの説明であり、詳細にはページ毎の下地レベルに関係なく、Ｄｅｆａｕｌｔの調整量で一律に調整を行うフローを説明するフローチャートである。
【００６４】
同図において、後述するＵＩ上において、ここで説明する処理内容を実行するモードを選択（Ｓ７０１）する。同時にこのスキャンにおける下地飛ばし量をＵＩ上で設定（Ｓ７０２）する。その後ＵＩ上にてスキャン開始ボタンを押下して、ＡＤＦ３００上に置かれた複数枚数の原稿束を画像入力装置１１０よりスキャンを開始（Ｓ７０３）する。スキャンにより得られる入力画像データは、読み取りの１ページ毎に所定の入力画像処理が施され（Ｓ７０４）た後、画像データは１ページ毎にメモリに記憶（Ｓ７０５）される。
【００６５】
上記Ｓ７０３〜Ｓ７０５のステップをＡＤＦ上に置かれた複数枚数の原稿束の全て対して処理するまで繰り返し行う（Ｓ７０６）。
【００６６】
全ての読み取りが終了したら、上記Ｓ７０２で設定した下地飛ばし量に応じて、図５のＳ５０９の所定の下地飛ばし処理が施され（Ｓ７０７）、地色を除去した画像データが生成される。
【００６７】
このように予め下地飛ばし量を設定し、その下地飛ばし量を固定させて下地飛ばし処理をページ毎に同じ演算係数で施す。
【００６８】
＜「課題を解決するための手段」で示した３番に関する説明＞
図８は、複数枚数原稿のうち、１枚目にスキャンした原稿で検出した下地飛ばし量、調整量を全ページ適用する仕組みの説明であり、詳細にはページ毎の下地レベルに関係なく、１ページ目の調整量で一律に調整を行うフローを説明するフローチャートである。
【００６９】
同図において、後述するＵＩ上において、ここで説明する処理内容を実行するモードを選択（Ｓ８０１）する。その後ＵＩ上にてスキャン開始ボタンを押下して、ＡＤＦ３００上に置かれた複数枚数の原稿束を画像入力装置１１０よりスキャンを開始（Ｓ８０２）する。最初のスキャンにより得られる入力画像データは、所定の入力画像処理が施され（Ｓ８０３）た後、図５で説明したＳ５０７の地色信号レベルが決定（Ｓ８０４）される。そして上述のＳ８０４で決定された地色信号のレベルは、画像データと共にメモリに記憶（Ｓ８０５）される。２枚以降のスキャン（Ｓ８０６）により得られる入力画像データに対しては、上記Ｓ８０２と同様に所定の入力画像処理が施される（Ｓ８０７）が、地色信号レベルの検出は行なわず、画像データはメモリに記憶（Ｓ８０８）される。その後、Ｓ８０６〜Ｓ８０８のステップをＡＤＦ上に置かれた複数枚数の原稿束の全て対して処理するまで繰り返し行なう（Ｓ８０９）。全ての読み取りが終了したら、画像データにはＳ８０４で決定した地色レベルに応じて、Ｓ５０９の所定の下地飛ばし処理が施され（Ｓ８１０）、地色を除去した画像データが生成される。
【００７０】
このように１ページ目の下地飛ばし量に従って２ページ目以降の画像データに対して一律に下地飛ばし処理を施す。
【００７１】
＜「課題を解決するための手段」で示した４番に関する説明＞
図９は、複数枚数原稿のうち、任意指定するページで検出した下地飛ばし量、調整量を全ページ適用するの説明であり、詳細にはページ毎の下地レベルに関係なく、任意指定したページの調整量で一律に調整を行うフローを説明するフローチャートである。
【００７２】
同図において、後述するＵＩ上において、ここで説明する処理内容を実行するモードを選択（Ｓ９０１）する。同時にこのスキャンにおける下地飛ばし量をどのページの下地飛ばし量に決定するかをＵＩ上で設定（Ｓ９０２）する。その後ＵＩ上にてスキャン開始ボタンを押下して、ＡＤＦ３００上に置かれた複数枚数の原稿束を画像入力装置１１０よりスキャンを開始（Ｓ９０３）する。
【００７３】
スキャンにより得られる入力画像データは、所定の入力画像処理が施され（Ｓ９０４）た後、そのスキャンページが、Ｓ９０２で設定したページである場合（Ｓ９０５）には、図５で説明したＳ５０７の地色信号レベルをこのページで決定（Ｓ９０６）し、画像データと共にメモリに記憶（Ｓ９０７）される。
【００７４】
その後、Ｓ９０３〜Ｓ９０８のステップをＡＤＦ上に置かれた複数枚数の原稿束の全て対して処理するまで繰り返し行う（Ｓ９０８）。
【００７５】
全ての読み取りが終了したら、画像データにはＳ９０６で決定した地色レベルに応じて、Ｓ５０９の所定の下地飛ばし処理が施され（Ｓ９０９）、地色を除去した画像データが生成される。
【００７６】
このように任意のページの下地飛ばし量に従ってその他にページの画像データに対して一律に下地飛ばし処理を施す。
【００７７】
＜「課題を解決するための手段」で示した５番に関する説明＞
図１０は、縮小レイアウト２ｉｎ１、４ｉｎ１、８ｉｎ１で１枚で印刷される２，４，８ページの調整量を同じにして適用する仕組みの説明であり、詳細にはページ毎の下地レベルに関係なく、Ｎｉｎ１の先頭ページもしくは任意のページの調整量でＮｉｎ１毎に一律に調整を行うフローを説明するフローチャートである。
【００７８】
同図において、後述するＵＩ上において、ここで説明する処理内容を実行するモードを選択（Ｓ１００１）する。同時にこのスキャンにおける下地飛ばし量を２ｉｎ１、４ｉｎ１、８ｉｎ１のうち、どのページの下地飛ばし量に決定するかをＵＩ上で設定（Ｓ１００２）する。この際、例えば、４ｉｎ１の４ページのうち最初に読み込まれる先頭のページ、４ｉｎ１の４ページのうち２番目に読み込まれるページの下地飛ばし量とするというように設定することができる。４ｉｎ１の組毎に、例えば、８枚のページを読み取って４ｉｎ１にする場合には４ｉｎ１が２枚になるが、最初の４ｉｎ１の組には先頭ページ、次の４ｉｎ１の組には２枚目のページというように設定できるＵＩとしても良いが、処理が煩雑になる場合には全ての組で同じ先頭ページや２枚目ページというように固定とする。その後ＵＩ上にてスキャン開始ボタンを押下して、ＡＤＦ３００上に置かれた複数枚数の原稿束を画像入力装置１１０よりスキャンを開始（Ｓ１００３）する。
【００７９】
スキャンにより得られる入力画像データは、所定の入力画像処理が施され（Ｓ１００４）た後、そのスキャンページが、Ｓ１００２で設定したページである場合（Ｓ１００５）には、図５で説明したＳ５０７の地色信号レベルをこのページで決定（Ｓ１００６）し、画像データと共にメモリーに記憶（Ｓ１００７）される。
【００８０】
その後、Ｓ１００３〜Ｓ１００８のステップをＡＤＦ上に置かれた複数枚数の原稿束の全て対して処理するまで繰り返し行う（Ｓ１００８）。
【００８１】
全ての読み取りが終了したら、２ｉｎ１、４ｉｎ１、８ｉｎ１の組毎に対応する画像データにはＳ１００６で決定した地色レベルに応じて、Ｓ５０９の所定の下地飛ばし処理が施され（Ｓ１００９）、地色を除去した画像データが生成される。そして２ｉｎ１、４ｉｎ１、８ｉｎ１になるように縮小されマージされる（Ｓ１０１０）。もちろん、縮小してマージした後に地色除去を行う構成としても良い。
【００８２】
このようにＮｉｎ１の先頭ページもしくは任意のページの調整量でＮｉｎ１毎に一律に調整を行う処理を施す。
【００８３】
＜「課題を解決するための手段」で示した６番に関する説明＞
図１１は、結合製本で見開き同士に並ぶページの調整量を同じにして適用する仕組みの説明であり、詳細にはページ毎の下地レベルに関係なく、見開きの先頭のページもしくは任意のページの調整量で見開き毎に一律に調整を行うフローを説明するフローチャートである。
【００８４】
同図において、後述するＵＩ上において、ここで説明する処理内容を実行するモードを選択（Ｓ１１０１）する。同時にこのスキャンにおける下地飛ばし量を製本ページのうち、どのページの下地飛ばし量に決定するかをＵＩ上で設定（Ｓ１１０２）する。この際、例えば、結合製本で見開き同士に並ぶページのうち、見開きの右ページとして読み込まれるページ、見開きの左ページとして読み込まれるページの下地飛ばし量とするというように設定することができる。その後ＵＩ上にてスキャン開始ボタンを押下して、ＡＤＦ３００上に置かれた複数枚数の原稿束を画像入力装置１１０よりスキャンを開始（Ｓ１１０３）する。
【００８５】
スキャンにより得られる入力画像データは、所定の入力画像処理が施され（Ｓ１１０４）た後、そのスキャンページが、Ｓ１１０２で設定したページである場合（Ｓ１１０５）には、図５で説明したＳ５０７の地色信号レベルをこのページで決定（Ｓ１１０６）し、画像データと共にメモリに記憶（Ｓ１１０７）される。
【００８６】
その後、Ｓ１１０３〜Ｓ１１０８のステップをＡＤＦ上に置かれた複数枚数の原稿束の全て対して処理するまで繰り返し行なう（Ｓ１１０８）。
【００８７】
全ての読み取りが終了したら、結合製本の見開きの組毎に対応する画像データにはＳ１１０６で決定した地色レベルに応じて、Ｓ５０９の所定の下地飛ばし処理が施され（Ｓ１１０９）、地色を除去した画像データが生成される。そして結合製本される（Ｓ１１１０）。
【００８８】
このように見開きの先頭のページもしくは任意のページの調整量で見開き毎に一律に調整を行う処理を施す。
【００８９】
＜「課題を解決するための手段」で示した７番に関する説明＞
図１２ａ、図１２ｂ、図１２ｃ、図１２ｄ、図１２ｅは、上記図６、７、８、９、１０、１１の仕組みのうちから、ユーザが任意に選択することが可能なＵＩを持つ操作部の一例を示す図である。
【００９０】
図１２ａにおいて、１２００は操作部に表示されるＵＩを示す図であり、この操作部の最上位階層の操作キーレイアウトを示す図である。１２０１は、各種機能を実行させるためのキーをまとめて表示する応用モードに画面を移すための応用モードキーである。応用モードキー１２０１を押すことによって、画面が応用モードに移る。
【００９１】
図１２ｂにおいて、１２１０は応用モード画面のレイアウトを示す図であり、１２１１は地色除去のモードを選択する画面へと移すための地色除去モードキーである。地色除去モード１２１１を押すことによって、画面が地色除去モードに移る。
【００９２】
図１２ｃにおいて、１２２０は地色除去モードが面のレイアウトを示す図であり、１２２１、１２２２、１２２３、１２２４、１２２５、１２２６は、地色除去のモードを選択するキーである。各キーの内容は、以下の通り。
【００９３】
１２２１は、図６で説明した、全ページ毎に下地飛ばし量を検出し、ページ毎に下地レベル調整を行う仕組みを“ページ毎優先“モードとし、これを選択することで、ページを読み込む度に下地レベルを検出し、調整量を可変させて調整を行うことができるモードを示すページ毎優先キー。
【００９４】
１２２２は、図７で説明した、初めから決められているＤｅｆａｕｌｔの下地飛ばし量を全てのページに適用する仕組みを“固定値優先”モードとし、これを選択することで、ページ毎の下地レベルに関係なく、Ｄｅｆａｕｌｔの調整量で一律に調整を行うことができるモードを示す固定値優先キー。
【００９５】
１２２３は、図８で説明した、複数枚数原稿のうち、１枚目にスキャンした原稿で検出した下地飛ばし量、調整量を全ページ適用する仕組みを“先頭ページ優先”モードとし、これを選択することで、ページ毎の下地レベルに関係なく、１ページ目の調整量で一律に調整を行うことができるモードを示す先頭ページ優先キー。
【００９６】
１２２４は、図９で説明した、複数枚数原稿のうち、任意指定するページで検出した下地飛ばし量、調整量を全ページ適用する仕組みを“任意ページ優先”モードとし、これを選択することで、ページ毎の下地レベルに関係なく、任意指定したページの調整量で一律に調整を行うことができるモードを示す任意ページ優先キー。
【００９７】
１２２５は、図１０で説明した、縮小レイアウト２ｉｎ１、４ｉｎ１、８ｉｎ１で１枚で印刷される２，４，８ページの調整量を同じにして適用する仕組みを“レイアウト指定”モードとし、これを選択することで、ページ毎の下地レベルに関係なく、Ｎｉｎ１の先頭ページ、もしくは任意のページの調整量でＮｉｎ１毎に一律に調整を行うことができるモードを示すレイアウト指定キー。これを選択した場合には、さらに下位層の操作画面である、図１２ｄに画面が移る。ここでは、４ｉｎ１の例を示しているが、２ｉｎ１、８ｉｎ１などを選択するキーを設けておいても良い。１２３１は４ｉｎ１のうち左上に割り当てられるページの下地飛ばし量をその４ｉｎ１のページに割り当てる場合に指定するキーであり、１２３２は同様に右上、１２３３は同様に左下、１２３４は同様に右下というように選択するキーである。ここで指定した位置に割り当てられるページの下地飛ばし量をその４ｉｎ１のページに割り当てる下地飛ばし量として設定される。これによって、縮小レイアウトの４ｉｎ１の４つ面において異なる下地飛ばし量にならず、同じ下地飛ばし量で処理を施すことができる。
【００９８】
１２２６は、図１１で説明した、結合製本で見開き同士に並ぶページの調整量を同じにして適用する仕組みを“製本ページ指定”モードとし、これを選択することで、ページ毎の下地レベルに関係なく、見開きの先頭のページ、もしくは任意のページの調整量で見開き毎に一律に調整を行うことができるモードを示す製本ページ指定キー。これを選択した場合には、さらに下位層の操作画面である、図１２ｅに画面が移る。１２４０は画面レイアウトを示しており、１２４１は製本の左右ページのうち左に割り当てられるページの下地飛ばし量をその製本の左右ページに割り当てる場合に指定するキーであり、１２４２は同様に右というように選択するキーである。ここで指定した位置に割り当てられるページの下地飛ばし量をその製本の左右面の両方に割り当てる下地飛ばし量として設定される。これによって、製本の左右面で異なる下地飛ばし量にならず、同じ下地飛ばし量で処理を施すことができる。
【００９９】
このように説明した、ページ優先キー１２２１、固定値優先キー１２２２、先頭ページ優先キー１２２３、任意ページ優先キー１２２４、レイアウト指定キー１２２５、製本ページ指定キー１２２６を選択することで、図６、図７、図８、図９、図１０、図１１で説明した各々の処理を実行させるためのモード選択をすることができる。そしてこの後に、図示しないスキャン開始キーを押すことで、ここで選択した各モードに従って、処理が施される。
【０１００】
以上、１セットの複数枚数原稿（入力画像データ）に対して、統一した下地飛ばし量で調整できる仕組みを、ＭＦＰの機能としてＵＩも含めた形で提供することが可能になる。
【０１０１】
［第二の実施例］
＜「課題を解決するための手段」で示した８番に関する説明＞
第一の実施例で説明をした図６、７、８、９、１０、１１の仕組みをＣｏｐｙ−Ｓｃａｎ時／Ｂｏｘ−Ｓｃａｎ時／Ｓｅｎｄ−Ｓｃａｎ時／Ｆａｘ−Ｓｃａｎ時などの各々の機能のＳｃａｎ機能毎に設定可能な構成としても良い。
【０１０２】
この場合、第一の実施例で説明した図１２のＵＩを、Ｃｏｐｙ−Ｓｃａｎ時／Ｂｏｘ−Ｓｃａｎ時／Ｓｅｎｄ−Ｓｃａｎ時／Ｆａｘ−Ｓｃａｎ時毎に開くことができ、各Ｓｃａｎ機能毎にその設定を変えて記憶させておくことが出来るので、Ｃｏｐｙ−Ｓｃａｎ時には１ページ毎に地色信号値レベルを決定し、１パージ毎に所定の下地飛ばし処理を施すが、Ｓｅｎｄ−Ｓｃａｎ時には一律固定で下地飛ばし処理を施したいなど、機能ごとに使い分ける際に、ユーザに対して利便性の高い操作フローを提供することができる。
【０１０３】
［第三の実施例］
＜「課題を解決するための手段」で示した９番に関する説明＞
第一の実施例で説明をした図６、７、８、９、１０、１１の仕組みをＣｏｐｙ−Ｐｒｉｎｔ時／Ｂｏｘ−Ｐｒｉｎｔ時／Ｓｅｎｄ−受信Ｐｒｉｎｔ時／Ｆａｘ−受信Ｐｒｉｎｔ時／ＰＤＬ−Ｐｒｉｎｔ時などの各々の機能のＰｒｉｎｔ機能毎に設定可能な構成としても良い。
【０１０４】
この場合、第一の実施例で説明した図１２のＵＩを、Ｃｏｐｙ−Ｐｒｉｎｔ時／Ｂｏｘ−Ｐｒｉｎｔ時／Ｓｅｎｄ−受信Ｐｒｉｎｔ時／Ｆａｘ−受信Ｐｒｉｎｔ時／ＰＤＬ−Ｐｒｉｎｔ時毎に開くことができ、各Ｐｒｉｎｔ機能毎にその設定を変えて記憶させておくことが出来るので、Ｃｏｐｙ−Ｐｒｉｎｔ時には１ページ毎に地色信号値レベルを決定し、１パージ毎に所定の下地飛ばし処理を施すが、Ｓｅｎｄ−受信Ｐｒｉｎｔ時には一律固定で下地飛ばし処理を施したいなど、機能ごとに使い分ける際に、ユーザに対して利便性の高い操作フローを提供することができる。
【０１０５】
［第四の実施例］
＜「課題を解決するための手段」で示した１０番に関する説明＞
第一の実施例で説明した上記図６、７、８、９、１０、１１の処理中に、いったんメモリに記憶された段階で、下地飛ばしと施した結果を、モニターや操作部の表示部に下地飛ばしの反映結果や、指定ページなどの情報を表示したり、画像プレビューする構成としても良い。
【０１０６】
［第五の実施例］
第一の実施例では入力画像のうちの１ページから下地飛ばし量を決定する構成をしめしたが、複数入力さらた画像の下地飛ばしの平均や、所定の統計的演算方法から算出される下地飛ばし量によって下地飛ばし処理を施す構成としても良い。
【０１０７】
例えば、図１２ｃの１２２０内に、平均値優先キーを設けておき、これを押すことで、読み込んだ原稿束の下地飛ばし量の平均値の下地飛ばし量を、読み取った画像データに一律でかけるような設定を施すような構成としても良い。図１２ｄ、図１２ｅに関しても同様で、４ｉｎ１、製本のエリアをしてするのではなく、図１２ｄに平均値キーを設けておき、これを選択することで４ｉｎ１の４面の下地飛ばし量の平均値を適用する構成としても良い。第１２ｅの場合にも同様に平均値キーを設けておき、これを選択することで製本の左右２面の下地飛ばし量の平均値を適用する構成としても良い。
【０１０８】
［第六の実施例］
第一の実施例では、入力する原稿束のうちから下地飛ばし量を決定していたが、予め所定の基準原稿を読み込ませて、その下地飛ばし量を記憶しておき、その値で下地飛ばし処理を施す構成としても良い。
【０１０９】
また、基準原稿ではなく、所定の白い紙や、日々に使用している再生紙をまず読み取り、その辺りを保持しておき、実際の原稿を読み込みＣｏｐｙなどを行う際の下地飛ばし量として呼び出し処理に利用するという、下地量キャリブレーションの構成を持っても良い。
【０１１０】
［第七の実施例］
第一の実施例では、入力する原稿束のうちから下地飛ばし量を決定していたが、図１で説明した、ネットワークＩ／Ｆ１５０の各種ネットワーク機能を利用して、外部のクライアントＰＣやリモートＷＥＢサービスなどの手段を利用して、下地飛ばし量を設定したり、図１２ａ，ｂ，ｃ，ｄ，ｅと同等な機能を持つ画面を表示させて、外部デバイスからのリモート動作を行える構成としても良い。
【０１１１】
さらには、ＰＣＭＣＩＡ１４５、ディスクＩ／Ｆ１４０を通じて、外部メディアや外部記憶装置などから、下地飛ばし量などの各種情報を入力して実行させる構成としも良い。
【図面の簡単な説明】
【０１１２】
【図１】本発明のＭＦＰ１００のシステム構成を示すブロック図である。
【図２】本発明の第一の実施例のＭＦＰ１００、ここではカラー機の構成を示す側断面図である。
【図３】本発明の第一の実施例のＡＤＦに関する断面図である。
【図４】本発明の第一の実施例の自動原稿送り装置ＡＤＦの動作シーケンスを示すフローチャートである。
【図５】下地飛ばし処理のアルゴリズムを説明するフローチャートである。
【図６】全ページ毎に下地飛ばし量を検出し、ページ毎に下地レベル調整を行なう仕組みの説明であり、詳細にはページを読み込む度に下地レベルを検出し、調整量を可変させて調整を行うフローを説明するフローチャートである。
【図７】初めから決められているＤｅｆａｕｌｔの下地飛ばし量を全てのページに適用する仕組みの説明であり、詳細にはページ毎の下地レベルに関係なく、Ｄｅｆａｕｌｔの調整量で一律に調整を行うフローを説明するフローチャートである。
【図８】複数枚数原稿のうち、１枚目にスキャンした原稿で検出した下地飛ばし量、調整量を全ページ適用する仕組みの説明であり、詳細にはページ毎の下地レベルに関係なく、１ページ目の調整量で一律に調整を行うフローを説明するフローチャートである。
【図９】複数枚数原稿のうち、任意指定するページで検出した下地飛ばし量、調整量を全ページ適用するの説明であり、詳細にはページ毎の下地レベルに関係なく、任意指定したページの調整量で一律に調整を行うフローを説明するフローチャートである。
【図１０】縮小レイアウト２ｉｎ１、４ｉｎ１、８ｉｎ１で１枚で印刷される２，４，８ページの調整量を同じにして適用する仕組みの説明であり、詳細にはページ毎の下地レベルに関係なく、Ｎｉｎ１の先頭ページもしくは任意のページの調整量でＮｉｎ１毎に一律に調整を行うフローを説明するフローチャートである。
【図１１】結合製本で見開き同士に並ぶページの調整量を同じにして適用する仕組みの説明であり、詳細にはページ毎の下地レベルに関係なく、見開きの先頭のページもしくは任意のページの調整量で見開き毎に一律に調整を行うフローを説明するフローチャートである。
【図１２ａ】図６、７、８、９、１０、１１の仕組みのうちから、ユーザが任意に選択することが可能なＵＩを持つ操作部の一例を示す図である。
【図１２ｂ】図６、７、８、９、１０、１１の仕組みのうちから、ユーザが任意に選択することが可能なＵＩを持つ操作部の一例を示す図である。
【図１２ｃ】図６、７、８、９、１０、１１の仕組みのうちから、ユーザが任意に選択することが可能なＵＩを持つ操作部の一例を示す図である。
【図１２ｄ】図６、７、８、９、１０、１１の仕組みのうちから、ユーザが任意に選択することが可能なＵＩを持つ操作部の一例を示す図である。
【図１２ｅ】図６、７、８、９、１０、１１の仕組みのうちから、ユーザが任意に選択することが可能なＵＩを持つ操作部の一例を示す図である。
【符号の説明】
【０１１３】
１００  ＭＦＰ
１０１  ＵＩ
１０２  インターフェースマネージャ
１０３  マイクロプロセッサ
１０４  キーボード
１０５  マウス
１０６  フラッシュ・メモリ
１０７  ＲＡＭ
１１０  画像入力装置
１２０  画像出力装置
１３０  ディスプレ
１４０  ディスク・インターフェース装置
１４１  ＨＤＤ
１４２  ＦＤＤ
１４３  ＣＤ−ＲＯＭドライブ
１４４  キャッシュ
１４５  ＰＣＭＣＩＡ
１５０  ネットワークインターフェース
１５１  無線ＬＡＮ
１５２  赤外線通信
１５３  モデム
１５４  短距離通信（Ｂｌｕｅｔｏｏｔｈ）
【図１】
2006295348.tif 000003
【図２】
2006295348.tif 000004
【図３】
2006295348.tif 000005
【図４】
2006295348.tif 000006
【図５】
2006295348.tif 000007
【図６】
2006295348.tif 000008
【図７】
2006295348.tif 000009
【図８】
2006295348.tif 000010
【図９】
2006295348.tif 000011
【図１０】
2006295348.tif 000012
【図１１】
2006295348.tif 000013
【図１２ａ】
2006295348.tif 000014
【図１２ｂ】
2006295348.tif 000015
【図１２ｃ】
2006295348.tif 000016
【図１２ｄ】
2006295348.tif 000017
【図１２ｅ】
2006295348.tif 000018